(57)【特許請求の範囲】
【請求項１】
画像を撮像する撮像装置であって、
被写体像を撮像する撮像部と、
前記撮像部が前記被写体像を撮像する時に移動する移動部と、
前記被写体像を動画として前記撮像部に撮像させる動画撮像設定に対応づけて、前記移動部を制御する第１の制御条件を格納し、前記被写体像を静止画として前記撮像部に撮像させる静止画撮像設定に対応づけて、前記移動部を制御する第２の制御条件を格納し、さらに、前記動画撮像設定または前記静止画撮像設定の準備状態である撮像準備設定に対応づけて、前記移動部を制御する第３の制御条件を格納する制御条件格納部と、
前記動画撮像設定、前記静止画撮像設定、および前記撮像準備設定のいずれかを示す撮像指示情報を取得する撮像設定取得部と、
前記撮像設定取得部が取得した前記撮像指示情報に対応づけて前記制御条件格納部が格納している前記第１の制御条件、前記第２の制御条件、および前記第３の制御条件のいずれかに基づいて前記移動部を制御する制御部と
を備える撮像装置。
【請求項２】
前記制御条件格納部は、前記静止画撮像設定に対応づけて格納する前記第２の制御条件よりも前記移動部を移動させる頻度が少ない前記第１の制御条件を、前記動画撮像設定に対応づけて格納する
請求項１に記載の撮像装置。
【請求項３】
前記移動部は、前記撮像部が前記被写体像を撮像する時に移動することによって露光量を調整する絞りであり、
前記制御条件格納部は、前記静止画撮像設定に対応づけて格納する前記第２の制御条件よりも前記絞りを移動させる頻度が少ない前記第１の制御条件を、前記動画撮像設定に対応づけて格納する
請求項１に記載の撮像装置。
【請求項４】
前記制御条件格納部は、前記静止画撮像設定に対応づけて格納する前記第２の制御条件よりも前記移動部を移動させる頻度が少ない前記第３の制御条件を、前記撮像準備設定に対応づけて格納する
請求項１に記載の撮像装置。
【請求項５】
前記移動部は、前記撮像部が前記被写体像を撮像する時に移動することによって露光量を調整する絞りであり、
前記制御条件格納部は、前記静止画撮像設定に対応づけて格納する前記第２の制御条件よりも前記絞りを移動させる頻度が少ない前記第３の制御条件を、前記撮像準備設定に対応づけて格納する
請求項１に記載の撮像装置。
【請求項６】
前記撮像設定取得部は、レリーズスイッチが押される前に、前記撮像準備設定を示す前記撮像指示情報を取得し、
前記制御部は、レリーズスイッチが押される前に、前記撮像設定取得部が取得した前記撮像準備設定を示す前記撮像指示情報に対応づけて前記制御条件格納部が格納している前記第３の制御条件に基づいて前記移動部を制御し、
前記撮像設定取得部は、レリーズスイッチが押された後に、前記動画撮像設定および前記静止画撮像設定のいずれかを示す前記撮像指示情報を取得し、
前記制御部は、レリーズスイッチが押された後に、前記撮像設定取得部が取得した前記動画撮像設定および前記静止画撮像設定のいずれかを示す前記撮像指示情報に対応づけて前記制御条件格納部が格納している前記第１の制御条件および前記第２の制御条件のいずれかに基づいて前記移動部を制御する
請求項１に記載の撮像装置。
【請求項７】
前記移動部は、前記撮像部が前記被写体像を撮像する時に移動することによって露光量を調整する１つの絞りであり、
前記撮像部は、前記絞りを通過した光の光量に応じて電荷を蓄積する１つのＣＣＤである
請求項１に記載の撮像装置。
【発明の詳細な説明】
【０００１】
【発明の属する技術分野】
本発明は、撮像装置に関する。特に本発明は、撮像設定と撮像準備設定を備える撮像装置に関する。
【０００２】
【従来の技術】
特開平９−９３４８４号は、露出調節、ホワイトバランス調節、あるいは焦点調節の応答速度を静止画像の撮影と動画像の撮影とで切り換える撮像装置を開示している。
【０００３】
【発明が解決しようとする課題】
しかしながら、従来の撮像装置は、動画像の撮影時に撮像装置の駆動音が雑音として記録されることがあった。
【０００４】
そこで本発明は、上記の課題を解決することのできる撮像装置を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、画像を撮像する撮像装置であって、被写体像を撮像する撮像部と、撮像部が被写体像を撮像する時に移動する移動部と、被写体像を動画または静止画として撮像部に撮像させる撮像設定、または撮像設定の準備状態である撮像準備設定に対応づけて、移動部を制御する制御条件を格納する制御条件格納部と、撮像部に撮像設定と、撮像準備設定を指示する撮像指示情報を取得する撮像設定取得部と、制御条件格納部において、撮像指示情報に対応づけられた制御条件に基づいて移動部を制御する制御部とを備える。
【０００６】
制御条件格納部が格納している制御条件は移動部の位置と、移動部の位置を決定するパラメータとの相関であり、相関はヒステリシスとなっていてもよい。また、移動部は、撮像部が被写体像を撮像する時に移動することによって露光量を調整し、制御条件に基づいて移動部を制御してもよい。
【０００７】
なお上記の発明の概要は、本発明の必要な特徴の総てを列挙したものではなく、これらの特徴群のサブコンビネーションも又発明となりうる。
【０００８】
【発明の実施の形態】
以下、発明の実施の形態を通じて本発明を説明するが、以下の実施形態はクレームにかかる発明を限定するものではなく、又実施形態の中で説明されている特徴の組み合わせの総てが発明の解決手段に必須であるとは限らない。
【０００９】
図１は、本実施の形態に係る撮像装置１０に特徴的な機能構成の一例を示す。撮像装置１０は、動画及び静止画を撮像する。撮像装置１０は、制御部１５０と、撮像部２０と、撮像設定取得部１６０と、制御条件格納部１７０とを備える。
【００１０】
撮像部２０は、被写体像を取得する。撮像部２０は、光学部２２と、移動部の一例としての絞り２４と、ＣＣＤ３０とを有する。光学部２２は、被写体像を取り込む。撮像部２０は、光学部２２が取り込んだ被写体像を、画像信号に変換する。撮像部２０は、変換した画像信号を、制御部１５０に送る。
【００１１】
制御条件格納部１７０は、絞り２４を制御する制御条件を、設定毎に格納する。設定は、例えば被写体像を動画として撮像部２０に撮像させる動画撮像設定と、被写体像を静止画として撮像部２０に撮像させる静止画撮像設定と、動画撮像設定及び静止画撮像設定の準備状態である撮像準備設定である。
【００１２】
撮像設定取得部１６０は、動画撮像設定、静止画撮像設定、または撮像準備設定のいずれかを示す撮像指示情報を取得する。撮像設定取得部１６０は、取得した撮像指示情報を制御部１５０に送る。撮像設定取得部１６０は、具体的には撮像設定の切り替えを、撮像装置１０のユーザから受け付けることによって、撮像指示情報を取得する。
【００１３】
制御部１５０は、撮像部２０から受け取った画像信号に基づいて、被写体の明るさを示す明るさ情報を算出する。制御部１５０は、撮像指示情報に対応づけられた制御条件と明るさ情報とに基づいて、絞り２４を移動させる移動指示情報を送る。絞り２４は、制御部１５０から受け取った移動指示情報に基づいて移動する。すなわち、絞り２４は、制御部１５０から受け取った移動指示情報に基づいて絞り値を変化させる。また、制御部１５０は、撮像設定取得部１６０から受け取った撮像指示情報に基づいて、撮像部２０を制御する。
【００１４】
図１に示した機能構成の一例によると、撮像装置１０は、撮像部２０が被写体像を動画または静止画として撮像している状態と、撮像部２０が被写体像を撮像していない状態のそれぞれにおいて、最適の制御条件で絞り２４を制御することができる。
【００１５】
本実施の形態において、移動部の一例として絞り２４を用いて説明したが、他の例としては、光学部２２のフォーカスレンズを駆動するフォーカス駆動部と、光学部２２を通過した光をＣＣＤ３０に露光するか否かを制御するシャッタ等もある。
【００１６】
図２は、本実施の形態に係る撮像装置１０の動作を示すフローチャートである。制御部１５０は、撮像設定取得部１６０が、撮像装置１０のユーザから撮像準備設定を示す撮像指示情報を取得した時に、撮像準備設定に対応した第３の制御条件を、制御条件格納部１７０から読み出す（ステップＳ２０２）。次に、制御部１５０は、光学部２２の焦点を調整する（ステップＳ２０４）。次に、制御部１５０は、撮像部２０から受け取った画像信号に基づいて、被写体像の明るさを示す明るさ情報を算出する。制御部１５０は、制御条件格納部１７０から読み出した第３の制御条件と、明るさ情報に基づいて、絞り２４を制御する（ステップＳ２０６）。
【００１７】
次に、制御部１５０は、撮像設定取得部１６０が取得した撮像指示情報が、動画撮像設定または静止画撮像設定のいずれを示しているかを判断する（ステップＳ２０８）。撮像指示情報が動画撮像設定を示している場合に、制御部１５０は、レリーズスイッチが全押しされているか否かを判断する（ステップＳ２１０）。レリーズスイッチが全押しされていないと制御部１５０が判断した場合に、ステップＳ２０２に戻る。レリーズスイッチが全押しされていると制御部１５０が判断した場合に、制御部１５０は、動画撮像設定に対応づけられた制御条件である第１の制御条件を、制御条件格納部１７０から読み出す（ステップＳ２１２）。次に、制御部１５０は、光学部２２の焦点を調整する（ステップＳ２１４）。次に、制御部１５０は、明るさ情報と、制御条件格納部１７０から読み出した第１の制御条件に基づいて、絞り２４を制御する（ステップＳ２１６）。次に、撮像部２０は、動画の撮像を開始する（ステップＳ２１８）。
【００１８】
次に、光学部２２は、焦点を調整する（ステップＳ２２０）。次に、制御部１５０は、明るさ情報と、制御条件格納部１７０から読み出した第１の制御条件に基づいて、絞り２４を制御する（ステップＳ２２２）。次に、制御部１５０は、レリーズスイッチが全押しされたか否かを判断する（ステップＳ２２４）。レリーズスイッチが全押しされていないと判断した場合に、制御部１５０は、ステップＳ２２０に戻って動画の撮像を継続する。また、レリーズスイッチが全押しされたと判断した場合に、制御部１５０は、動画の撮像を停止する（ステップＳ２２６）。
【００１９】
ステップＳ２０８において、撮像指示情報が静止画撮像設定を指示している場合に、制御部１５０は、レリーズスイッチが半押しされているか否かを判断する（ステップＳ２３０）。レリーズスイッチが半押しされていない場合に、ステップＳ２０２に戻る。レリーズスイッチが半押しされている場合に、制御部１５０は、静止画撮像設定に対応した第２の制御条件を、制御条件格納部１７０から読み出す（ステップＳ２３２）。次に、制御部１５０は、光学部２２の焦点を調整する（ステップＳ２３４）。次に、制御部１５０は、明るさ情報と、制御条件格納部１７０から読み出した第１の制御条件に基づいて、絞り２４を制御する（ステップＳ２３６）。
【００２０】
次に、制御部１５０は、レリーズスイッチの半押しが解除されたか否かを判断する（ステップＳ２３８）。レリーズスイッチの半押しが解除されていない場合に、制御部１５０は、レリーズスイッチが全押しされたか否かを判断する（ステップＳ２４０）。レリーズスイッチが全押しされていない場合に、ステップＳ２３８に戻る。レリーズスイッチが全押しされた場合に、撮像部２０は、被写体像を撮像する（ステップＳ２４２）。
【００２１】
図２のフローチャートに示す動作によると、本実施の形態に係る撮像装置１０は、動画撮像設定、静止画撮像設定、撮像準備設定の各設定において、最適の制御条件で絞り２４を制御することができる。
【００２２】
図３は、制御条件格納部１７０に格納されている制御条件の一例を示す。ここで制御条件は、撮像装置１０の絞りと、シャッタ速度と、被写体像の明るさとＣＣＤ３０の感度に基づいて算出されるＥＶ値の関連を示す図である。図３において、制御条件の縦軸は、撮像装置１０の絞り値を、制御条件の横軸は、撮像装置１０のシャッタ速度を、制御条件の斜め軸は、被写体のＥＶ値を示す。
【００２３】
制御部１５０は、図３を参照して、ＥＶ値に対応する絞り値とシャッタ速度を選択する。ここで制御部１５０は、図３の太線上から絞り値とシャッタ速度を選択する。
【００２４】
制御条件は、図３に示すように絞り２４の位置と、絞り２４の位置を決定するパラメータであるＥＶ値との相関がヒステリシスとなっている。制御条件格納部１７０は、撮像準備設定と、静止画撮像設定と、動画撮像設定のそれぞれに対応づけられた制御条件を格納する。
【００２５】
図３(１)は、第１の制御条件を示す図である。動画撮像設定において、制御部１５０は、ＥＶ値の変化に応じて１段ごとに絞り２４の絞り値を変更する。例えば、ＥＶ値が１０．５以上１１未満の場合に、制御部１５０は、絞り値をＦ４に変更する。絞り値がＦ４で、かつＥＶ値が１０未満に変化した場合に、制御部１５０は、絞り値をＦ２．８に変更する。絞り値がＦ２．８で、ＥＶ値が１０．５以上に変化した場合に、制御部１５０は、絞り値をＦ４に変更する。すなわち、ＥＶ値が１０以上１０．５未満の範囲内である場合に、制御部１５０は、絞り値をＦ２．８またはＦ４のいずれかに変更する。
【００２６】
図３(２)及び図３(３)は、第２の制御条件を示す図である。図３(２)は、第２の制御条件に示す静止画撮像設定において、光学部２２のズーム位置がＷＩＤＥ側にある場合に用いられる。図３(３)は、第２の制御条件に示す静止画撮像設定において、光学部２２のズーム位置がＴＥＬＥ側にある場合に用いられる。同一の光学部２２であってもズームのＷＩＤＥ側とＴＥＬＥ側ではレンズの明るさが異なるため、制御部１５０は、静止画撮像設定において、２種類の制御条件を使い分ける。図３(２)及び図３(３)において、制御部１５０は、ＥＶ値の変化に応じて１／３段ごとに絞り２４の絞り値を変化させる。
【００２７】
図３(４)は、第４の制御条件を示す図である。図３(４)において、制御部１５０は、ＥＶ値の変化に応じて１／２段ごとに絞り２４の絞り値を変化させる。
【００２８】
制御条件格納部１７０は、図３に示した制御条件以外に、例えば動画撮像設定または静止画撮像設定において、撮像装置１０のユーザが任意に選択できる、制御条件を複数格納してもよい。制御条件は、例えば、ＡＵＴＯモード、プログラムモード、ポートレートモード、スポーツモード等に対応し、それぞれのモードに適するように設定されている。
【００２９】
制御部１５０は、図３に示した各制御条件を用いることによって、動画撮像設定、静止画撮像設定、及び撮像準備設定の各設定において最適な絞り２４の制御を行う。具体的には、動画撮像設定において、制御部１５０は、絞り２４が移動する頻度が少ない制御条件を用いる。これによって、絞り２４が発生する騒音を少なくすることができる。
【００３０】
また、静止画撮像設定において、制御部１５０は、動画撮像設定よりも絞り２４の制御を高頻度で行う。これによって、撮像装置１０は、高画質の静止画を撮像することができる。また、撮像準備設定において、制御部１５０は、静止画撮像設定よりも絞り２４の移動頻度を少なくする。これによって、撮像装置１０は、撮像準備設定における消費電力を少なくすることができる。
【００３１】
図４は、本実施の形態に係る撮像装置１０の一例であるデジタルカメラ１２のハードウェア構成を示す。デジタルカメラ１２は、撮像部２０、撮像制御部４０、システム制御部６０、表示部１００、操作部１１０、格納部１２０、外部接続部１３０、及び画像処理部１４０を備える。
【００３２】
撮像部２０は、光学部２２、絞り２４、シャッタ２６、光学ＬＰＦ２８、ＣＣＤ３０、撮像信号処理部３２、ファインダ３４、及びストロボ３６を有する。
【００３３】
光学部２２は、被写体像を取り込んで処理を施す。光学部２２は、フォーカスレンズやズームレンズ等を含み、被写体像をＣＣＤ３０の受光面上に結像する。絞り２４は、光学部２２を通過した光を絞り、光学ＬＰＦ２８は、絞り２４を通過した光に含まれる所定の波長より長い波長成分を通過させる。ＣＣＤ３０の各センサエレメントは、結像した被写体像の光量に応じ、電荷を蓄積する（以下その電荷を「蓄積電荷」という）。
【００３４】
シャッタ２６は、機械式シャッタであり、光学部２２を通過した光をＣＣＤ３０に露光するか否かを制御する。また、デジタルカメラ１２は、シャッタ２６に代えて電子シャッタ機能を有してもよい。電子シャッタ機能を実現するために、ＣＣＤ３０のセンサエレメントは、シャッタゲート及びシャッタドレインを有する。シャッタゲートを駆動することにより、蓄積電荷がシャッタドレインに掃き出される。シャッタゲートの制御により、各センサエレメントに電荷を蓄積する時間、即ちシャッタスピードを制御できる。ＣＣＤ３０において、蓄積電荷は、リードゲートパルスによってシフトレジスタに読み出され、レジスタ転送パルスによって電圧信号として順次読み出される。
【００３５】
撮像信号処理部３２は、ＣＣＤ３０から出力される被写体像を示す電圧信号、即ちアナログ信号をＲ、Ｇ、Ｂ成分に色分解する。そして、撮像信号処理部３２は、Ｒ、Ｇ、Ｂ成分を調整することにより、被写体像のホワイトバランスを調整する。撮像信号処理部３２は、被写体像のガンマ補正を行う。そして、撮像信号処理部３２は、Ｒ、Ｇ、Ｂ成分に分解されたアナログ信号をＡ／Ｄ変換し、その結果得られた被写体像のデジタルの画像データ（以下「デジタル画像データ」という）をシステム制御部６０へ出力する。
【００３６】
ファインダ３４は、表示手段を有してもよく、後述のメインＣＰＵ６２等からの各種情報をファインダ３４内に表示してもよい。ストロボ３６は、コンデンサに蓄えられたエネルギを放電する放電管３７を有し、放電管３７にエネルギが供給されたとき放電管３７が発光することで機能する。
【００３７】
撮像制御部４０は、ズーム駆動部４２、フォーカス駆動部４４、絞り駆動部４６、シャッタ駆動部４８、それらを制御する撮像系ＣＰＵ５０、測距センサ５２、及び測光センサ５４を有する。ズーム駆動部４２、フォーカス駆動部４４、絞り駆動部４６、及びシャッタ駆動部４８は、それぞれステッピングモータ等の駆動手段を有し、撮像部２０に含まれる機構部材を駆動する。後述のレリーズスイッチ１１４の押下に応じ、測距センサ５２は被写体までの距離を測定し、測光センサ５４は被写体輝度を測定する。そして、測距センサ５２及び測光センサ５４は、測定された被写体までの距離のデータ（以下単に「測距データ」という）及び被写体輝度のデータ（以下単に「測光データ」という）を、それぞれ撮像系ＣＰＵ５０に供給する。撮像系ＣＰＵ５０は、制御部１５０の機能を実行する。
【００３８】
撮像系ＣＰＵ５０は、ユーザから指示されたズーム倍率等の撮影情報に基づき、ズーム駆動部４２及びフォーカス駆動部４４を制御して光学部２２のズーム倍率とピントの調整を行う。また、撮像系ＣＰＵ５０は、測距センサ５２から受け取った測距データに基づいて、ズーム駆動部４２及びフォーカス駆動部４４を制御してズーム倍率及びピントの調整を行ってもよい。
【００３９】
撮像系ＣＰＵ５０は、測光センサ５４から受け取った測光データに基づいて、絞り値及びシャッタスピードを決定する。決定された値に従い、絞り駆動部４６及びシャッタ駆動部４８は、絞り２４の絞り量及びシャッタ２６の開閉をそれぞれ制御する。
【００４０】
また、撮像系ＣＰＵ５０は、測光センサ５４から受け取った測光データに基づいて、ストロボ３６の発光を制御し、同時に絞り２４の絞り量を調整する。ユーザが映像の取込を指示したとき、ＣＣＤ３０は電荷蓄積を開始し、測光データから計算されたシャッタ時間の経過後、蓄積電荷を撮像信号処理部３２へ出力する。
【００４１】
システム制御部６０は、メインＣＰＵ６２、キャラクタ生成部８４、タイマ８６、及びクロック発生器８８を有する。メインＣＰＵ６２は、デジタルカメラ１２全体、特にシステム制御部６０を制御する。メインＣＰＵ６２は、シリアル通信等により、撮像系ＣＰＵ５０との間で必要な情報の受け渡しをする。
【００４２】
クロック発生器８８は、メインＣＰＵ６２の動作クロックを発生し、メインＣＰＵ６２に供給する。また、クロック発生器８８は、撮像系ＣＰＵ５０及び表示部１００の動作クロックを発生する。クロック発生器８８は、メインＣＰＵ６２、撮像系ＣＰＵ５０、及び表示部１００に対してそれぞれ異なる周波数の動作クロックを供給してもよい。
【００４３】
キャラクタ生成部８４は、撮影日時、タイトル等の撮影画像に合成する文字情報や、図形情報を生成する。タイマ８６は、例えば電池等でバックアップされ、常に時間をカウントし、当該カウント値に基づいて撮影画像の撮影日時に関する情報等の時刻情報をメインＣＰＵ６２に供給する。タイマ８６は、蓄電池から供給された電力により、デジタルカメラ本体の電源がオフである場合にも時間をカウントするのが望ましい。また、キャラクタ生成部８４及びタイマ８６は、メインＣＰＵ６２に併設されることが好ましい。
【００４４】
格納部１２０は、メモリ制御部６４、不揮発性メモリ６６、及びメインメモリ６８を有する。メモリ制御部６４は、不揮発性メモリ６６とメインメモリ６８とを制御する。不揮発性メモリ６６は、ＥＥＰＲＯＭ（電気的消去及びプログラム可能なＲＯＭ）やＦＬＡＳＨメモリ等で構成され、ユーザによる設定情報や出荷時の調整値等、デジタルカメラ１２の電源がオフの間も保持すべきデータを格納する。不揮発性メモリ６６は、メインＣＰＵ６２のブートプログラムやシステムプログラム等を格納してもよい。
【００４５】
メインメモリ６８は、ＤＲＡＭのように比較的安価で容量の大きなメモリで構成されることが好ましい。メインメモリ６８は、撮像部２０から出力されたデータを格納するフレームメモリとしての機能、各種プログラムをロードするシステムメモリとしての機能、その他ワークエリアとしての機能を有する。不揮発性メモリ６６及びメインメモリ６８は、システム制御部６０内外の各部とバス８２を介してデータのやりとりを行う。メインメモリ６８は、制御条件格納部１７０の機能を実行する。不揮発性メモリ６６は、デジタル画像データを更に格納してもよい。
【００４６】
画像処理部１４０は、ＹＣ処理部７０、エンコーダ７２、及び圧縮伸張処理部７８を有する。また、外部接続部１３０は、オプション装置制御部７４、及び通信Ｉ／Ｆ部８０を有する。
【００４７】
ＹＣ処理部７０は、デジタル画像データにＹＣ変換を施し、輝度信号Ｙ、並びに色差（クロマ）信号Ｂ−Ｙ及びＲ−Ｙを生成する。メインメモリ６８は、メモリ制御部６４の制御に基づいて、輝度信号及び色差信号を格納する。
【００４８】
圧縮伸張処理部７８は、メインメモリ６８から順次輝度信号と色差信号を読み出して圧縮する。そして、オプション装置制御部７４は、圧縮されたデジタル画像データ（以下単に「圧縮データ」という）をオプション装置７６の一例であるメモリカードへ書き込む。
【００４９】
エンコーダ７２は、輝度信号と色差信号を、ビデオ信号（ＮＴＳＣやＰＡＬ信号）に変換して端子９０から出力する。オプション装置７６に記録された圧縮データからビデオ信号を生成する場合、圧縮データは、まずオプション装置制御部７４を介して圧縮伸張処理部７８へ与えられる。続いて、圧縮伸張処理部７８で必要な伸張処理が施されたデータはエンコーダ７２によってビデオ信号へ変換される。
【００５０】
オプション装置制御部７４は、オプション装置７６が許容する信号仕様及びバス８２のバス仕様に従い、バス８２とオプション装置７６との間で必要な信号の生成、論理変換、及び／又は電圧変換等を行う。デジタルカメラ１２は、オプション装置７６として前述のメモリカードの他に、例えばＰＣＭＣＩＡ準拠の標準的なＩ／Ｏカードをサポートしてもよい。その場合、オプション装置制御部７４は、ＰＣＭＣＩＡ用バス制御ＬＳＩ等で構成してもよい。
【００５１】
通信Ｉ／Ｆ部８０は、デジタルカメラ１２がサポートする通信仕様、たとえばＵＳＢ、ＲＳ−２３２Ｃ、イーサネット等の仕様に応じたプロトコル変換等の制御を行う。通信Ｉ／Ｆ部８０は、圧縮データ又はデジタル画像データを、端子９２を介してネットワークを含む外部機器に出力してよい。通信Ｉ／Ｆ部８０は、必要に応じてドライバＩＣを含み、外部機器と端子９２を介して通信する。通信Ｉ／Ｆ部８０は、例えばプリンタ、カラオケ機、ゲーム機等の外部機器との間で独自のインターフェースによるデータ授受を行う構成としてもよい。
【００５２】
表示部１００は、ＬＣＤモニタ１０２、ＬＣＤパネル１０４、モニタドライバ１０６、及びパネルドライバ１０８を有する。モニタドライバ１０６は、ＬＣＤモニタ１０２を制御する。また、パネルドライバ１０８は、ＬＣＤパネル１０４を制御する。ＬＣＤモニタ１０２は、例えば２インチ程度の大きさでカメラ背面に設けられ、現在の撮影や再生のモード、撮影や再生のズーム倍率、電池残量、日時、モード設定のための画面、被写体画像等を表示する。ＬＣＤパネル１０４は例えば小さな白黒ＬＣＤでカメラ上面に設けられ、画質（ＦＩＮＥ／ＮＯＲＭＡＬ／ＢＡＳＩＣ等）、ストロボ発光／発光禁止、標準撮影可能枚数、画素数、電池容量／残量等の情報を表示する。
【００５３】
操作部１１０は、パワースイッチ１１２、レリーズスイッチ１１４、機能設定部１１６、及びズームスイッチ１１８を有する。パワースイッチ１１２は、ユーザの指示に基づいてデジタルカメラ１２の電源をオン／オフする。レリーズスイッチ１１４は、半押しと全押しの二段階押し込み構造を有する。一例として、レリーズスイッチ１１４が半押しされることにより、撮像制御部４０は、自動焦点調整及び自動露出調整を行い、全押しされることにより、撮像部２０は、被写体像を取り込む。
【００５４】
機能設定部１１６は、例えば回転式のモードダイヤルや十字キー等であって、「ファイルフォーマット」、「特殊効果」、「印画」、「決定／保存」、「表示切換」、「静止画撮影」、「動画撮影」等の設定を受け付ける。ズームスイッチ１１８は、撮像部２０が取得する被写体像のズーム倍率の設定を受け付ける。機能設定部１１６は、撮像設定取得部１６０の機能を実行する。
【００５５】
以上の構成による主な動作は以下のとおりである。まずパワースイッチ１１２が押下され、デジタルカメラ１２の各部に電力が供給される。メインＣＰＵ６２は、機能設定部１１６の状態を読み込むことで、デジタルカメラ１２が撮影モードにあるか再生モードにあるかを判断する。
【００５６】
デジタルカメラ１２が撮影モードの場合、メインＣＰＵ６２は、レリーズスイッチ１１４の半押し状態を監視する。レリーズスイッチ１１４の半押し状態が検出されたとき、撮像系ＣＰＵ５０は、測光センサ５４及び測距センサ５２からそれぞれ測光データと測距データを得る。撮像制御部４０は、撮像系ＣＰＵ５０が得た測光データ及び測距データに基づいて、撮像部２０のピント、絞り等を調整する。調整が完了すると、ＬＣＤモニタは、「スタンバイ」等の文字を表示してユーザにその旨を伝える。
【００５７】
続いて、メインＣＰＵ６２は、レリーズスイッチ１１４の全押し状態を監視する。レリーズスイッチ１１４の全押し状態が検出されたとき、所定のシャッタ時間をおいてシャッタ２６が閉じられ、ＣＣＤ３０の蓄積電荷が撮像信号処理部３２へ掃き出される。撮像信号処理部３２による処理の結果生成されたデジタル画像データはバス８２へ出力される。デジタル画像データは一旦メインメモリ６８へ格納され、この後ＹＣ処理部７０と圧縮伸張処理部７８で処理され、オプション装置制御部７４を経由してオプション装置７６へ記録される。記録されたデジタル画像データに基づく撮影画像は、フリーズされた状態でしばらくＬＣＤモニタ１０２に表示され、ユーザは撮影画像を確認することができる。以上で一連の撮影動作が完了する。
【００５８】
一方、デジタルカメラ１２が再生モードの場合、メインＣＰＵ６２は、メインメモリ６８、不揮発性メモリ６６、及び／又はオプション装置７６から撮影した撮影画像を読み出し、これを表示部１００のＬＣＤモニタ１０２へ表示する。
【００５９】
この状態でユーザが機能設定部１１６にて「順送り」、「逆送り」を指示すると、メインＣＰＵ６２は、メインメモリ６８、不揮発性メモリ６６、及び／又はオプション装置７６が格納した他の撮影画像を読み出し、これを表示部１００のＬＣＤモニタ１０２へ表示する。
【００６０】
以上、本発明を実施の形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００６１】
【発明の効果】
上記説明から明らかなように、本発明によれば動画撮像設定における撮像装置の駆動音の混入が少ない撮像装置を提供することができる。
【図面の簡単な説明】
【図１】撮像装置１０に特徴的な機能構成の一例を示す図である。
【図２】撮像装置１０の動作を示すフローチャートである。
【図３】制御条件格納部１７０に格納されている制御条件の一例を示す図である。
【図４】撮像装置１０の一例であるデジタルカメラ１２のハードウェア構成を示す図である。
【符号の説明】
１０  撮像装置
１２  デジタルカメラ
２０  撮像部
２２  光学部
２４  絞り
３０  ＣＣＤ
１５０  制御部
１６０  撮像設定取得部
１７０  制御条件格納部
【図１】
0003860045.tif 000002
【図２】
0003860045.tif 000003
【図３】
0003860045.tif 000004
【図４】
0003860045.tif 000005